【事件の表示】
　特許第２７５６１０９号「遊技機」の請求項１、２に係る特許に対する特許異議の申立てについて、次のとおり決定する。
【結　論】
　訂正を認める。
　特許第２７５６１０９号の請求項１ないし２に係る特許を維持する。
【理　由】
１．手続きの経緯
　本件特許第２７５６１０９号発明は、平成５年１１月２２日出願の特願平５−２９２０７４号出願の一部を平成８年４月１８日に分割して新たに出願した特願平８−９７０５７号出願に係り、平成１０年３月６日にその特許の設定登録がなされ、その後、小林澄より請求項１及び２に係る発明について特許異議の申立てがなされ、１回目の取消理由通知がなされ、その指定期間内である平成１１年４月２８日に１回目の訂正請求がなされ、特許権者と異議申立人の双方に対して１回目の審尋がなされ、その指定期間内である平成１２年３月７日に１回目の回答が双方からなされ、２回目の取消理由通知がなされ、その指定期間内である平成１２年８月４日に１回目の訂正請求が取り下げられると共に２回目の訂正請求がなされ、異議申立人に対して２回目の審尋がなされ、その指定期間内である平成１２年１２月２６日に２回目の回答が異議申立人からなされ、訂正拒絶理由通知がなされ、その指定期間内である平成１３年３月３０日に意見がなされ、平成１３年４月２７日に異議申立人から上申がなされ、さらにその後、３回目の取消理由通知がなされ、その指定期間内である平成１４年３月６日に２回目の訂正請求が取り下げられると共に３回目の訂正請求がなされものである。
　
２．訂正の適否についての判断
（１）訂正の内容
　１）訂正事項ａ
　特許請求の範囲を次のように訂正する。
「【請求項１】遊技盤と該遊技盤を内側に収容する略長方形の本体枠とを含む本体側と、前記遊技盤の前面側を覆って前記遊技盤との間に遊技領域を形成するためのガラス板を保持するガラス枠と、発射装置に供給するための遊技球を貯留する上皿とを備えて、前記発射装置によって発射されて前記遊技盤の前面側に形成された遊技領域に撃ち込まれた遊技球の挙動により所定の入賞状態が発生した際に設定数の遊技球を賞球として排出する遊技機において、
　軸支手段を介して前記本体側に取り付けられ該本体側に対して開閉自在な上部前面枠であって、
その背面側に前記ガラス枠を密接且つ離脱可能にガラス枠装着手段を介して軸支により保持しており、
　
大当り状態が発生した際に点灯する大当りランプを前記上部前面枠の上部に組み付け、
前記大当りランプへの配線を保護するための保護板を、前記上部前面枠が前記本体側に対して開放された際に露出する該上部前面枠の背面の上辺に沿った位置に設置し、
前記上皿が設けられている皿部材を軸支手段を介して前記本体側に開閉可能に取付けることにより、
　【請求項２】請求項１記載の遊技機において、
前記上部前面枠はプラスチック製である
　２）訂正事項ｂ
　明細書段落【０００５】を次のように訂正する。
「【課題を解決するための手段】上記課題を解決するための手段として、請求項１記載の遊技機は、遊技盤と該遊技盤を内側に収容する略長方形の本体枠とを含む本体側と、前記遊技盤の前面側を覆って前記遊技盤との間に遊技領域を形成するためのガラス板を保持するガラス枠と、発射装置に供給するための遊技球を貯留する上皿とを備えて、前記発射装置によって発射されて前記遊技盤の前面側に形成された遊技領域に撃ち込まれた遊技球の挙動により所定の入賞状態が発生した際に設定数の遊技球を賞球として排出する遊技機において、軸支手段を介して前記本体側に取り付けられ該本体側に対して開閉自在な上部前面枠であって、
その背面側に前記ガラス枠を密接且つ離脱可能にガラス枠装着手段を介して軸支により保持しており、
大当り状態が発生した際に点灯する大当りランプを前記上部前面枠の上部に組み付け、前記大当りランプへの配線を保護するための保護板を、前記上部前面枠が前記本体側に対して開放された際に露出する該上部前面枠の背面の上辺に沿った位置に設置し、前記上皿が設けられている皿部材を軸支手段を介して前記本体側に開閉可能に取付けることにより、
前記上部前面枠はプラスチック製である
　３）訂正事項ｃ
　明細書段落【０００７】を次のように訂正する。
「この遊技機においては、上部前面枠は、軸支手段を介して前記本体側に取り付けられ本体側に対して開閉自在である。この上部前面枠は、
その背面側にガラス枠を密接且つ離脱可能にガラス枠装着手段を介して軸支により保持しており、
上皿が設けられている皿部材を軸支手段を介して本体側に開閉可能に取付けることにより、
　４）訂正事項ｄ
　明細書段落【０００８】を次のように訂正する。
「なお、請求項２記載のように、
上部前面枠をプラスチック製にするとよい。
　
（２）訂正の目的、新規事項の有無、拡張変更の存否の各要件についての判断
　１）訂正事項ａ
　本訂正は、請求項１において、上部前面枠とガラス枠との関係と、上部前面枠に組み付けられるものと、上皿の支持とについて、願書に添付した明細書又は図面に記載した事項（特に、明細書段落【０００９】，【００１１】，【００４５】，【００４８】及び図１，１３参照）の範囲内で限定し、さらに、請求項２においては上部前面枠の材質について願書に添付した明細書又は図面に記載した事項（特に、明細書段落【０００９】参照）の範囲内で限定するものであり、特許請求の範囲の減縮を目的とし、新規事項の追加に該当せず、実質上特許請求の範囲を拡張し又は変更するものでもない。
　２）訂正事項ｂ，ｃ，ｄ
　これらの訂正は、訂正された特許請求の範囲に発明の詳細な説明の記載を整合させるためのものであり、明りょうでない記載の釈明を目的とし、新規事項の追加に該当せず、実質上特許請求の範囲を拡張し又は変更するものでもない。
　
（３）独立特許要件の判断
　訂正後の請求項１，２に係る発明は、後述するように、その特許を取り消すべき理由のないものであり、それぞれ特許出願の際独立して特許を受けることができるものである。
　
（４）訂正の適否のまとめ
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書及び第２，３項の規定に適合するので、当該訂正を認める。
　
３．異議申立てについての判断
（１）本件請求項１，２に係る発明
　本件請求項１，２に係る発明は、訂正明細書及び図面の記載からみて、訂正明細書の特許請求の範囲の請求項１，２に記載されたとおりのものである（上記訂正事項ａ参照）。
　
（２）異議申立ての理由と証拠
　異議申立人は、異議申立時に甲第１乃至６号証を提出し、その後、上記１回目の回答時に甲第７乃至１３号証を提出し、さらに、上記２回目の回答時に甲第１４乃至１５号証を提出し、本件請求項１，２に係る発明は、甲第１乃至６号証に記載された発明に基づいて、さらには、甲第１乃至１５号証に記載された発明に基づいて当業者が容易に発明をすることができたものであり、特許法第２９条第２項の規定により特許を受けることができない発明であって、その発明の特許は拒絶の査定をしなければならない特許出願についてなされたものであるから取り消されるべきである旨の理由を主張している（当審が通知した特許法第２９条第２項に係る取消理由において引用された刊行物は甲第１乃至１５号証から採用されたものである）。
　
　甲第１，３乃至１５号証とそれらに記載された発明は次のとおりである（なお、甲第２号証の特開平６−１９８０５３号公報は本件出願の分割の元となった原出願の出願日である平成５年１１月２２日以降の平成６年７月１９日に公開されたものであるため採用しない）。
　甲第１号証：実公平３−４２９９号公報
　機枠体１に略長方形の扉枠２を開閉自在に蝶着し、扉枠２の背面側には、機構枠体６と遊技板７を受ける受台８とを固定する一方、扉枠２の前面側には、左右に補助枠２３を固定し、扉枠２の開口部４にガラス板装着枠３を前方へ開閉自在に蝶着し、ガラス板装着枠３を前面板３ａと前面板３ａから後方に延設した枠板３ｂと前面板３ａの背面側にクリップ２０等で保持したガラス板１６，１７と飾り枠１８とで構成し、前面板３ａの窓１９の周囲に入賞や球切れ等を表示する表示ランプ２４を設け、ガラス板装着枠３の下方には上部賞球受皿１５を備えた前枠板５を開閉自在に蝶着し、上部賞球受皿１５から供給された遊技球を発射杵で遊技領域に発射し、その入賞により設定した賞球を排出するパチンコ機が図面と共に記載されている。
　このパチンコ機の構成を対比のために記載し直すと、甲第１号証には、「遊技板７と該遊技板７を内側に収容する略長方形の扉枠２とを含む遊技板保持側と、前記遊技板７の前面側を覆って前記遊技板７との間に遊技領域を形成するためのガラス板１６，１７を保持するクリップ２０等と、発射杵に供給するための遊技球を貯留する上部賞球受皿１５とを備えて、前記発射杵によって発射されて前記遊技板７の前面側に形成された遊技領域に撃ち込まれた遊技球の挙動により所定の入賞状態が発生した際に設定数の遊技球を賞球として排出するパチンコ機において、軸支手段を介して前記遊技板保持側に取り付けられ該遊技板保持側に対して開閉自在なガラス板装着枠３の前面板３ａと枠板３ｂであって、その背面側に前記ガラス板１６，１７を保持するクリップ２０等を保持しており、前記ガラス板１６，１７と共同して前記遊技板保持側の前記上部賞球受皿１５よりも上方の前面部分の左右の補助枠２３を除く部分を覆うガラス板装着枠３の前面板３ａと枠板３ｂを設けると共に、入賞や球切れ等が発生した際に点灯する表示ランプ２４を前記ガラス板装着枠３の前面板３ａの周辺部に組み付け、前記上部賞球受皿１５が設けられている前枠板５を軸支手段を介して開閉可能に取付けることにより、前記上部賞球受皿１５を支持する構造としたことを特徴とするパチンコ機。」が記載されている。
　甲第３号証：特公昭６３−３６２６９号公報
　機枠２に前面枠３をヒンジ４により開閉自在に装着し、前面枠３の背面側に遊技盤６と機構盤７を装着し、前面枠３の前面側には、二重の透明ガラス１３ｂを収納したガラス枠１３と供給皿１９を備えたパネル１４とを個別に前方へ開閉自在に装着してなるパチンコ機が記載されている。
　甲第４号証：実願平２−５６９５１号（実開平４−１５９８５号）のマイクロフイルム
　第１図に係る実施例として、本体１３の前面上部のほぼ全域を覆う開閉自在な本枠扉１１を備えたパチンコ機１０が、第７図に係る実施例として、本体８４に開閉自在な本枠扉８１に対し前方へ開閉する窓枠扉５４備えたパチンコ機８０が記載されている。
　甲第５号証：実願昭５８−１３８２２１号（実開平６０−４５０８０号）のマイクロフイルム
　開閉する扉Ｂにはめたガラス１の隅に広告用シール３を貼ったパチンコ台Ａが記載されている。
　甲第６号証：特開平５−６８７３７号公報
　外枠２に前面枠３を開閉自在に設け、前面枠３のの背面側に遊技盤１３を収納するリヤプレート６を設け、前面側に外部表示灯ユニット７とガラス枠８と上皿ユニット４と下皿セット５を設けたパチンコ機１が記載されている。
　甲第７号証：特開平３−５７４７３号公報
　裏箱１０の前面上部に、表側にキャビネット３０を固定した扉枠２０を開閉自在に設け、下部に受け皿５０を固定したスロットマシンが記載されている。
　甲第８号証：実願昭６０−１７８６８５号（実開昭６２−８７６７６号）のマイクロフイルム
　遊技盤３を備える本体枠１に上皿２４を備えるガラス枠５を開閉自在に取付、ガラス枠５の基枠１５と基枠１５補強用のフレーム１６，１７とで前面ガラス３３，３４を保持してなるパチンコ機が記載されている。
　甲第９号証：実公平４−３２１４１号公報
　中枠Ｓにおいて、前面に露呈する表枠辺材１とガラス収容枠Ｋに結合された仕切材２とで上枠辺部を形成し、表枠辺材１と仕切材２との間に上からガラス板４を差し込んだ後、補強材３を前方へ回動してガラス板５を上から差し込んでなるパチンコ機が記載されている。
　甲第１０号証：実公平２−４４７８７号公報
　従来例として、前面枠２にビス止めされた金枠３にガラス扉４を開閉自在に保持し、ガラス扉４の背面側に２条の凹溝でガラスを保持するガラス保持枠５を固着してなる弾球遊技機１が記載され、ビスを弛める不正がなされても内ガラス６ｂと遊技盤７との間隔が広げられないように、前面枠２にビス止めされた金枠３に外ガラス扉枠４ａを開閉自在に保持し、前面枠２の切欠断差部１５に内ガラス扉枠４ｂを開閉自在に保持してなる弾球遊技機１が記載されている。
　甲第１１号証：実公昭５７−６４号公報
　表枠１の窓孔２の内側縁に取り付けた縁金枠７に玉皿８を設けた前板９とガラス枠１０を開閉自在に枢着したパチンコ機が記載されている。
　甲第１２号証：実公昭６１−９６７６号公報
　パチンコ機本体１の表枠２の縁金枠５にガラス枠６と上部玉受皿７を設けた前板８とをそれぞれ枢着したパチンコ機が記載されている。
　甲第１３号証：特開平４−２２０２７８号公報
　機枠２に開閉自在な前面枠３の背面に遊技盤部を設け、前面にガラス枠４と球供給皿６を備えた開閉パネル５とを独立して開閉自在に軸着してなるパチンコ機１が記載されている。
　甲第１４号証：特開平２−２０９１８１号公報
　取付枠９００にパチンコ遊技機７００を開閉自在に設け、パチンコ遊技機７００の前面側に開閉パネル７０１を設け、開閉パネル７０１にガラス板７０２と供給皿７０３を取付け、パチンコ遊技機７００の下部に受皿７０４を設け、パチンコ遊技機７００の前側上端部に情報表示装置７１０を取付けて、そのリード線７１６ｅ，７１９を背面側に延出し、背面側にはコード保護部材９１５を設けたパチンコ遊技機が記載されている。
　甲第１５号証：特開平４−１９７２８５号公報
　外枠１に前枠２を回動可能に設け、前枠２の背面側に基枠２２と遊技盤２４とベース板５０を保持し、前枠２の前面にガラス扉枠４と上皿６を備える下方板５とをそれぞれ前方回動可能に設け、前枠２の上部に当り表示灯２９を配設してなるパチンコ機が記載されている。
　
（３）対比・判断
　１）本件請求項１に係る発明について
　本件請求項１に係る発明（前者）と甲第１号証に記載された発明（後者）とを対比するに、後者の遊技板７が前者の遊技盤に対応し、前者において遊技盤を内側に収容する略長方形の枠を本体枠と称していることから、後者における遊技板７を内側に収容する略長方形の扉枠２を本体枠ということができ、前者において遊技盤と本体枠とを含む側を本体側と称していることから、後者における遊技板７と扉枠２とを含む遊技板保持側を本体側ということができる。
　また、後者におけるガラス板装着枠３の前面板３ａと枠板３ｂとからなる部分は、本体側（遊技板保持側）に開閉自在であり、単にガラス板を保持するだけでなく、ランプの組み付けや本体側の一部領域を覆うことができるだけの広がりを有することから、前者の上部前面枠に対応する。
　さらに、後者の、発射杵、上部賞球受皿１５、パチンコ機、前枠板５は、それぞれ、前者の、発射装置、上皿、遊技機、皿部材に対応し、後者のガラス板１６，１７を保持するクリップ２０等はガラス板保持部材といえる点で前者のガラス枠と共通し、後者の表示ランプ２４は遊技状態表示ランプといえる点で前者の大当りランプと共通する。
　そうすると、両者は、「遊技盤と該遊技盤を内側に収容する略長方形の本体枠とを含む本体側と、前記遊技盤の前面側を覆って前記遊技盤との間に遊技領域を形成するためのガラス板を保持するガラス板保持部材と、発射装置に供給するための遊技球を貯留する上皿とを備えて、前記発射装置によって発射されて前記遊技盤の前面側に形成された遊技領域に撃ち込まれた遊技球の挙動により所定の入賞状態が発生した際に設定数の遊技球を賞球として排出する遊技機において、軸支手段を介して前記本体側に取り付けられ該本体側に対して開閉自在な上部前面枠であって、その背面側に前記ガラス板保持部材を保持しており、前記ガラス板と共同して前記本体側の前記上皿よりも上方の前面部分を覆う上部前面枠を設けると共に、遊技状態表示ランプを前記上部前面枠に組み付け、前記上皿が設けられている皿部材を軸支手段を介して開閉可能に取付けることにより、前記上皿を支持する構造としたことを特徴とする遊技機。」である点で一致し、次の点で相違する。
　＜相違点１＞前者が、ガラス板保持部材を上部前面枠の背面側に密接且つ離脱可能にガラス枠装着手段を介して軸支により保持されたガラス枠とし、上部前面枠がガラス板と共同して本体側の上皿よりも上方の前面部分のほぼ全域を覆うのに対し、後者は、ガラス板保持部材がクリップ２０等であり、上部前面枠とガラス板とで覆う範囲が該前面部分の左右の補助枠２３を除く部分である点。
　＜相違点２＞遊技状態表示ランプについて、前者が、大当り状態が発生した際に点灯する大当りランプとし、上部前面枠の上部に組み付け、かつ、大当りランプへの配線を保護するための保護板を、上部前面枠が本体側に対して開放された際に露出する上部前面枠の背面の上辺に沿った位置に設置しているのに対し、後者は、入賞や球切れ等が発生した際に点灯する表示ランプ２４であり、上部前面枠の周辺部に組み付け、かつ、ランプへの配線を保護するための保護板を設置していない点。
　＜相違点３＞上皿の支持について、前者が上部前面枠と別個に本体側で支持しているのに対し、後者は定かでない点。
　
　相違点１について検討するに、遊技盤を収容している本体側に対して前方回動する枠の背面側に、ガラス板を保持する枠を密接且つ離脱可能に軸支すること、すなわち後方へ回動できるように軸支することについては、甲第３乃至１５号証にも記載がなく、甲第１，３乃至１５号証の記載から示唆されることとも認められない。
　このことは、異議申立人が、上記１回目の回答時に、背面側にガラス枠のガラス板を取り付けることが周知であることの他の例として文献番号のみを示した実公平３−３７６６４号，同３−３７６６７号公報（同回答で「実公昭」としているのは誤記と思われる）にも示唆するものがない。
　しかも、遊技盤を収容している本体側に対して前方回動する枠がガラス板と共同して本体側の上皿よりも上方の前面部分のほぼ全域を覆うものにおいては、該枠を開いたときに本体側前面のほぼ全域が露出して点検・修理が容易になる一方で、錠やランプなどに係る部材等が該枠の背面に配されることとなって、ガラス板の挿入・取出に支障を来すことが推測されるのであるが、このような場合であっても、該枠の背面側に対してガラス板を保持する枠を密接且つ離脱可能に軸支すれば、ガラス板を保持する枠を該背面側から後方へ回動することができて、本件明細書段落【００４５】にも記載があるように、ガラス板の挿入・取出部を容易に開放できるものである。
　そうすると、本件請求項１に係る発明は、上部前面枠の背面側にガラス枠を密接且つ離脱可能にガラス枠装着手段を介して軸支により保持することと、上部前面枠がガラス板と共同して本体側の上皿よりも上方の前面部分のほぼ全域を覆うこととの組合せにも格別の意義が認められるのであり、たとえ、上記相違点２が甲第１４，１５号証などの記載から容易に想起でき、上記相違点３が甲第３，１０号証などの記載から容易に想起できるとしても、甲第１，３乃至１５号証に記載された発明に基づいて当業者が容易に発明をすることができたものとは認められない。
　
　２）本件請求項２に係る発明について
  本件請求項２に係る発明は、本件請求項１に係る発明の構成要件の全てを構成要件の一部とするものであるから、上記本件請求項１に係る発明についての判断と同様の理由により、甲第１，３乃至１５号証に記載された発明に基づいて当業者が容易に発明をすることができたものとは認められない。
　
４．むすび
　以上のとおりであるから、特許異議の申立ての理由によっては本件請求項１乃至２に係る発明についての特許を取り消すことはできない。
　また、他に本件請求項１乃至２に係る発明についての特許を取り消すべき理由を発見しない。
　したがって、本件請求項１乃至２に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１４年３月１２日（２００２．３．１２）
【訂正の要旨】
　訂正の要旨
　１）訂正事項ａ
　特許請求の範囲を特許請求の範囲の減縮を目的として次のように訂正する。
「【請求項１】遊技盤と該遊技盤を内側に収容する略長方形の本体枠とを含む本体側と、前記遊技盤の前面側を覆って前記遊技盤との間に遊技領域を形成するためのガラス板を保持するガラス枠と、発射装置に供給するための遊技球を貯留する上皿とを備えて、前記発射装置によって発射されて前記遊技盤の前面側に形成された遊技領域に撃ち込まれた遊技球の挙動により所定の入賞状態が発生した際に設定数の遊技球を賞球として排出する遊技機において、
　軸支手段を介して前記本体側に取り付けられ該本体側に対して開閉自在な上部前面枠であって、
その背面側に前記ガラス枠を密接且つ離脱可能にガラス枠装着手段を介して軸支により保持しており、
　
大当り状態が発生した際に点灯する大当りランプを前記上部前面枠の上部に組み付け、
　
前記大当りランプヘの配線を保護するための保護板を、前記上部前面枠が前記本体側に対して開放された際に露出する該上部前面枠の背面の上辺に沿った位置に設置し、
　
前記上皿が設けられている皿部材を軸支手段を介して前記本体側に開閉可能に取付けることにより、
　【請求項２】請求項１記載の遊技機において、
前記上部前面枠はプラスチック製である
　２）訂正事項ｂ
　明細書段落【０００５】を明りょうでない記載の釈明を目的として次のように訂正する。
「【課題を解決するための手段】上記課題を解決するための手段として、請求項１記載の遊技機は、遊技盤と該遊技盤を内側に収容する略長方形の本体枠とを含む本体側と、前記遊技盤の前面側を覆って前記遊技盤との間に遊技領域を形成するためのガラス板を保持するガラス枠と、発射装置に供給するための遊技球を貯留する上皿とを備えて、前記発射装置によって発射されて前記遊技盤の前面側に形成された遊技領域に撃ち込まれた遊技球の挙動により所定の入賞状態が発生した際に設定数の遊技球を賞球として排出する遊技機において、軸支手段を介して前記本体側に取り付けられ該本体側に対して開閉自在な上部前面枠であって、
その背面側に前記ガラス枠を密接且つ離脱可能にガラス枠装着手段を介して軸支により保持しており、
大当り状態が発生した際に点灯する大当りランプを前記上部前面枠の上部に組み付け、前記大当りランプヘの配線を保護するための保護板を、前記上部前面枠が前記本体側に対して開放された際に露出する該上部前面枠の背面の上辺に沿った位置に設置し、前記上皿が設けられている皿部材を軸支手段を介して前記本体側に開閉可能に取付けることにより、
前記上部前面枠はプラスチック製である
　３）訂正事項ｃ
　明細書段落【０００７】を明りょうでない記載の釈明を目的として次のように訂正する。
「この遊技機においては、上部前面枠は、軸支手段を介して前記本体側に取り付けられ本体側に対して開閉自在である。この上部前面枠は、
その背面側にガラス枠を密接且つ離脱可能にガラス枠装着手段を介して軸支により保持しており、
上皿が設けられている皿部材を軸支手段を介して本体側に開閉可能に取付けることにより、
　４）訂正事項ｄ
　明細書段落【０００８】を明りょうでない記載の釈明を目的として次のように訂正する。
「なお、請求項２記載のように、
上部前面枠をプラスチック製にするとよい。
（５４）【発明の名称】
遊技機
（５７）【特許請求の範囲】
　【請求項１】　遊技盤と該遊技盤を内側に収容する略長方形の本体枠とを含む本体側と、前記遊技盤の前面側を覆って前記遊技盤との間に遊技領域を形成するためのガラス板を保持するガラス枠と、発射装置に供給するための遊技球を貯留する上皿とを備えて、前記発射装置によって発射されて前記遊技盤の前面側に形成された遊技領域に撃ち込まれた遊技球の挙動により所定の入賞状態が発生した際に設定数の遊技球を賞球として排出する遊技機において、
　軸支手段を介して前記本体側に取り付けられ該本体側に対して開閉自在な上部前面枠であって、
その背面側に前記ガラス枠を密接且つ離脱可能にガラス枠装着手段を介して軸支により保持しており、
　
大当り状態が発生した際に点灯する大当りランプを前記上部前面枠の上部に組み付け、
　
前記大当りランプヘの配線を保護するための保護板を、前記上部前面枠が前記本体側に対して開放された際に露出する該上部前面枠の背面の上辺に沿った位置に設置し、
　
前記上皿が設けられている皿部材を軸支手段を介して前記本体側に開閉可能に取付けることにより、
　【請求項２】　請求項１記載の遊技機において、
　
前記上部前面枠はプラスチック製である
【発明の詳細な説明】
　【０００１】
　【発明の属する技術分野】
　本発明は、パチンコ機等、遊技球の入賞に応じて賞球を機外に排出する遊技機に関する。
　【０００２】
　【従来の技術】
　従来、例えばパチンコ機やアレンジボール式遊技機（アレパチ）等の鋼製の遊技球を使用する遊技機は、木製の本体枠、蝶番を介して本体枠に装着された木製の前枠、前枠に固定されて遊技盤を支承するプラスチック製の中枠、遊技盤の裏側に配されて制御基盤や制御基盤に接続されている配線を保持すると共に遊技球通路等が設けられているプラスチック製のいわゆる裏パック等を備えていた。
　【０００３】
　また、前枠には、上皿と下皿が装着されていた。詳しくは、上皿は前枠に対して開閉自在に装着され、下皿は上皿の下方において前枠に固定されていた。
　すなわち、前枠は、遊技盤、上皿、下皿等を支持することになるため、これらを含めた重量は大きく、前枠を回動させる際の作業性が悪かった。
　また、前枠の前面側にはガラス枠が開閉可能に装着されていて、ガラス枠を閉じるとガラス枠に保持されているガラス板が遊技盤を覆って、遊技盤の前面側に遊技領域を形成する構造であった。
　ところが、前枠を閉鎖した状態でガラス枠を開いても遊技盤面の全面が露出するわけではなく、特に遊技盤の周囲はまったく露出されなかった。このため、ガラス枠を開いただけでは例えば遊技盤の周囲の配線などを点検、修理することはできなかった。
　【０００４】
　【発明が解決しようとする課題】
　本発明は、遊技盤およびその周囲に配置されている部品の点検や修理に当たって作業性を向上させることを目的とする。
　【０００５】
　【課題を解決するための手段】
　上記課題を解決するための手段として、請求項１記載の遊技機は、遊技盤と該遊技盤を内側に収容する略長方形の本体枠とを含む本体側と、前記遊技盤の前面側を覆って前記遊技盤との間に遊技領域を形成するためのガラス板を保持するガラス枠と、発射装置に供給するための遊技球を貯留する上皿とを備えて、前記発射装置によって発射されて前記遊技盤の前面側に形成された遊技領域に撃ち込まれた遊技球の挙動により所定の入賞状態が発生した際に設定数の遊技球を賞球として排出する遊技機において、
　軸支手段を介して前記本体側に取り付けられ該本体側に対して開閉自在な上部前面枠であって、
その背面側に前記ガラス枠を密接且つ離脱可能にガラス枠装着手段を介して軸支により保持しており、
　
大当り状態が発生した際に点灯する大当りランプを前記上部前面枠の上部に組み付け、
　
前記大当りランプヘの配線を保護するための保護板を、前記上部前面枠が前記本体側に対して開放された際に露出する該上部前面枠の背面の上辺に沿った位置に設置し、
　
前記上皿が設けられている皿部材を軸支手段を介して前記本体側に開閉可能に取付けることにより、
　また請求項２記載の遊技機は、請求項１記載の遊技機において、
前記上部前面枠はプラスチック製である
　【０００６】
　【発明の実施の形態】
　請求項１記載の遊技機では、遊技盤の前面側に形成される遊技領域に撃ち込まれた遊技球の挙動により所定の入賞状態が発生した際に設定数の遊技球を賞球として排出する。ここでいう入賞状態の発生とは、パチンコ機では入賞口（入賞チャッカー）への遊技球の入球であり、アレパチでは例えば隣接する４つ以上のチャッカーに遊技球が入球する等の所定の組合せが実現されることである。
　【０００７】
　この遊技機においては、上部前面枠は、軸支手段を介して前記本体側に取り付けられ本体側に対して開閉自在である。この上部前面枠は、
その背面側にガラス枠を密接且つ離脱可能にガラス枠装着手段を介して軸支により保持しており、
　また、
上皿が設けられている皿部材を軸支手段を介して本体側に開閉可能に取付けることにより、
　【０００８】
　なお、請求項２記載のように、
上部前面枠をプラスチック製にするとよい。
　【０００９】
　【実施例】
　次に、本発明の好適な一実施例により発明の実施の形態を詳しく説明する。
　図１は本発明の遊技機としてのパチンコ機１０の正面図であり、周知の遊技盤１２を備えている。遊技盤１２の前面側は、装飾部１３ａを備えるほぼ全体がプラスチック製のガラス枠１３を介してほぼ全体がプラスチック製の上部前面枠（以下、単に前面枠とも言う）１４に装着された二重のガラス１６ａ、１６ｂで覆われており、遊技盤１２と内側のガラス１６ａおよび装飾部１３ａとの間に遊技領域１８が形成されている。前面枠１４の上部にはいわゆる大当り状態が発生した際に点灯する大当りランプ２０が組み付けられている。また、前面枠１４は、右側部２２に設けられた錠２４を操作することにより、左側部２６の裏面側に装着されている迫出しヒンジ１７６ａ、１７６ｂ（詳細は後述）を軸として開閉可能である。
　【００１０】
　前面枠１４の下方には、プラスチック製で、上受け皿２８および下受け皿３０が一体的に設けられた皿部材３２が配されている。上受け皿２８および下受け皿３０には、それぞれにパチンコ機１０内部からの遊技球を排出するための上皿排出口３４および下皿排出口３６が開口している。また、皿部材３２には複数の小孔からなるスピーカ面３８が設けられており、スピーカ面３８の裏側には遊技状態に応じて音声を発するスピーカ（図示略）が装着されている。さらに皿部材３２には、上受け皿２８から供給される遊技球を遊技領域１８に発射するためのモータ（図示略）を操作する発射ハンドル４０および遊技球の発射を一時的に停止するためのストップスイッチ４２が設置されている。さらに皿部材３２の下方には、裾板４３が設置されている。
　【００１１】
　この皿部材３２は左裏側に装着された迫出しヒンジ１７６ｃ、１７６ｄ（詳細は後述）を軸として開閉可能であるが、通常の使用時には右裏側にてロックされて閉状態に保持されている。また通常の使用時には、皿部材３２は前面枠１４によって上辺部分を押さえられ開放を防止されている。したがって、皿部材３２を開くには、前面枠１４を開放し右裏側のロックを解除する必要がある。
　【００１２】
　図２に示すようにパチンコ機１０の裏面側には、パチンコ機１０の各部材を支持すると共に遊技機設置島（以下、単に島という）に装着するための部材でもあるプラスチック製の本体枠４４が配されており、上述の前面枠１４および皿部材３２は迫出しヒンジ１７６ａ、１７６ｂ、１７６ｃ、１７６ｄ（迫出しヒンジ１７６ｂは図２には示さない）を介して本体枠４４と連結されている。この本体枠４４には、遊技盤１２を支承する裏盤４８が組み付けられている。
　【００１３】
　図２、図３および図４に示すように、裏盤４８は中央部に略５角形状の窓４８ａを備える略長方形で、裏盤４８の上端部には島の上部に設置された球供給路（図示略）から供給される遊技球を貯留するプラスチック製の賞球タンク５０が設置されている。賞球タンク５０には、中央やや左寄りに遊技球の荷重の有無によって遊技球の有無を検知する荷重センサ５２が設置されており、賞球タンク５０の下部には遊技球が流出可能な賞球流出口５４が設けられている。賞球流出口５４は、遊技球を整列させながら流下させる透明プラスチック製の賞球誘導樋５６を介して、賞球払出装置５８に接続されている。また賞球誘導樋５６の中間部には荷重センサ６０ａ、６０ｂが設置されており、遊技球の誘導状況を検出可能である。
　【００１４】
　賞球払出装置５８は、例えば特開平５−４２２４８号公報に記載されているように、ステッピングモータ（図示略）にて駆動されるフライトスクリュ（図示略）を備え、ステッピングモータの回転に応じて賞球誘導樋５６から遊技球を導入し排出口６２から排出する。
　【００１５】
　さらに、図２および図３に示すように、賞球誘導樋５６には、遊技球を整列させるための整列板５９が内挿されており、賞球払出装置５８の上方には、賞球タンク５０に隣接してヒューズボックス６１が設置されている。
　図２、図３および図４に示すように、賞球払出装置５８の排出口６２の下方には、賞球払出装置５８から排出される遊技球を導く賞球導入樋６４を備えるプラスチック製の賞球受部材６６が接続されている。この賞球受部材６６の内部には、遊技球の落下速度を規制するための屈曲部（図示略）が設けられており、賞球導入樋６４を経て落下した遊技球は屈曲部で落下速度を調節されて落下口６８から排出される。
　【００１６】
　図３に示すように、この落下口６８は、裏盤４８に設けられている壁状の樋部７０と透明プラスチック製のカバー部材７２とで形成される賞球樋７４に連通している。この賞球樋７４は下部中央に縦壁７６を備える箱状の賞球振り分け機構７８に連通している。
　【００１７】
　図３および図６に示すように、賞球振り分け機構７８は、賞球として排出される遊技球を上受け皿２８と下受け皿３０とに振り分けて排出するため機構で、上受け皿２８へ連通する上皿導入口８０および下受け皿３０に連通する下皿導入口８２とが、縦壁７６を介して互いに隣接して開口している。また上皿導入口８０の底部および側壁部は、落下する遊技球の衝撃からこれらを保護するための金属製のカバー８４で被覆されている。この構成により、賞球樋７４から落下した遊技球は、通常は縦壁７６によって上皿導入口８０側から下皿導入口８２側への水平方向の移動を阻まれて上受け皿２８へと導かれることになる。ところが、入賞の連続等があり上受け皿２８に多量の遊技球が蓄積されると上皿導入口８０付近まで遊技球によって満たされて、上皿導入口８０へ遊技球が進入できなくなることがある。このような状態で賞球樋７４から排出された遊技球は、上皿導入口８０付近に滞留する遊技球によって通路を遮られるので、縦壁７６の上方の空間を通過して下皿導入口８２側へ溢流し、下受け皿３０へと導かれることになる。したがって、上受け皿２８への遊技球の受け入れに余裕があるにもかかわらず、賞球としての遊技球が下受け皿３０へと排出されることは回避される。
　【００１８】
　また図３に示すように、賞球樋７４には、図示しないソレノイドで駆動されるダンパ８６を介して玉抜樋８８が接続されている。この玉抜樋８８は、例えばパチンコ機１０を島から撤去する場合等に、賞球タンク５０、賞球誘導樋５６等に貯留されている遊技球を機外へ排出するための経路であり、玉抜スイッチ（図示略）をオンするとダンパ８６が駆動されて、賞球樋７４と賞球振り分け機構７８との連通を遮断すると共に賞球樋７４と玉抜樋８８とを連通させる。併せて賞球払出装置５８が稼動して賞球タンク５０からの遊技球を排出する。排出された遊技球は賞球導入樋６４、賞球受部材６６、賞球樋７４および玉抜樋８８を経て機外へ排出される。
　【００１９】
　従来の遊技機においては、賞球払出装置の上流側に設置されたダンパを操作ピンによって機械的に操作して玉抜き作業を実施する構成であったため、ダンパ操作のために操作ピンを挿通させる操作穴をダンパ近傍に設ける必要があった。このためダンパの設置位置や操作穴の設置位置の自由度は低く、遊技機全体の構成を制限することもあった。
　【００２０】
　ところが本実施例のパチンコ機１０では、上述のようにダンパ８６および賞球払出装置５８が電気的に操作されるので、ダンパ８６や玉抜スイッチの設置位置は事実上制限されず、機構配置上の自由度が高まっている。
　賞球振り分け機構７８に隣接して、遊技盤１２から入賞球を集中して導く入賞球集合樋９０が設置されている。この入賞球集合樋９０には入賞した遊技球を入口９２から導入し、１球毎に賞球通過信号を出力して出口９４から排出する入賞球排出装置９６が設置されている。この賞球通過信号は、例えば賞球払出装置５８のステッピングモータを稼動させるための信号として使用される。
　【００２１】
　入賞球排出装置９６の出口９４には入賞球排出装置９６から排出された遊技球の通路としての入賞球排出樋９８が設けられている。また入賞球排出装置９６の左方には、遊技盤１２の下部に開口するアウト穴（図示略）に接続されているアウト球排出樋１００が設置されている。図示のように、入賞球排出樋９８とアウト球排出樋１００とは合流して合流樋１０２に接続されており、この合流樋１０２には玉抜樋８８も合流している。さらに合流樋１０２の出口１０２ａには島に設置されている回収路（図示略）が接続されている。
　【００２２】
　こうした構成により、パチンコ機１０が稼動しているとき（遊技中）には、入賞球は入賞球排出装置９６および入賞球排出樋９８を経て合流樋１０２に導かれ、アウト球はアウト球排出樋１００を経て合流樋１０２に導かれ、いずれも回収路へと排出される。また上述した玉抜き作業の実施に当たって玉抜樋８８へと導かれた遊技球は、合流樋１０２を経て回収路へと排出される。
　【００２３】
　このように、入賞球、アウト球および玉抜き作業によって排出される遊技球のいずれもが、合流樋１０２から排出される。したがって、回収路は合流樋１０２の出口１０２ａのみに接続されればよく、パチンコ機１０と島との接続を簡略化できる。
　【００２４】
　また、裏盤４８の窓４８ａの下辺、賞球受部材６６と対向する側辺に沿った部分および上辺に沿って賞球誘導樋５６に覆われている部分には、各種の配線（図示略）を収納する配線ピット１０６が設けられている。この配線ピット１０６の側辺部１０６ａは、窓４８ａに揺動自在に設けられているピットカバー１０６ｂを矢印Ｋ方向に揺動させることで、閉鎖状態および開放状態とできる。図示は開放状態であるが、閉鎖状態とした際には、ピットカバー１０６ｂの３箇所に設けられている突起１０６ｃで配線ピット１０６の壁面との摩擦力によりピットカバー１０６ｂを閉鎖状態に保持できる。この裏盤４８に形成されている配線ピット１０６は、少なくとも３面（側辺部１０６ａは４面とも）が導電性プラスチック製となるので、この配線ピット１０６内に収容される電気配線は電磁的にシールドされることになる。したがって、これらの電気配線へのパチンコ機１０の内外からの電磁波の侵入は防止される。このため、例えば電気配線を介して侵入したノイズによって制御装置が誤作動する等の事故は防止できると共に電波発信機等を使用する不正行為に対する防御性能が向上する。
　【００２５】
　図２および図３に示すように、裏盤４８の窓４８ａの下方に端子板１０８が装着されており、端子板１０８と裏盤４８との間には端子板１０８に接続されている配線（図示略）を収容する配線ピット１０６の一部が形成されている。また端子板１０８の下方には副制御基盤１１０が装着されている。
　【００２６】
　図２、図３、図４、図５および図６に示すように、裏盤４８の下縁隅には、図５および図６に示される発射装置１１２のモータ１１２ａを収容するためのモータ収容室１１４が設けられている。またモータ収容室１１４に隣接して設けられている調節器収容室１１６には、図５および図６に示される調節器１１８が収容されている。この調節器１１８は、発射ハンドル４０とモータ１１２ａとの間に介装されており、発射ハンドル４０の操作に応じてモータ１１２ａに供給される電力等を調節するためのものである。
　【００２７】
　図２、図４および図５に示すように、裏盤４８の樋部７０と共に賞球樋７４を構成しているカバー部材７２には、カバー部材７２に設けられている一対の軸ピン１２０ａ、１２０ｂに回動可能に軸支されて、カバー部材７２の外面側を通過して副制御基盤１１０に接続される配線（図示略）を保護するための透明プラスチック製の配線カバー１２２が装着されている。
　【００２８】
　図２および図３に示すように、裏盤４８には、端子板１０８と副制御基盤１１０との間およびモータ収容室１１４に隣接する部分に、一対の軸ピン１２４ａ、１２４ｂが設けられている。
　図４、図５および図６に示すように、これらの軸ピン１２４ａ、１２４ｂには、主制御基盤１２６を保持する基盤保持部材１２８が軸支されている。主制御基盤１２６は、基盤保持部材１２８にビス止めされると共に基盤カバー１３０にて覆われている。また、基盤保持部材１２８の軸ピン１２４ａ、１２４ｂと対向する辺には一対の連結ピン１３２ａ、１３２ｂが取り付けられている。これら連結ピン１３２ａ、１３２ｂは、図２および図３に示されるカバー部材７２の一対の連結穴１３４ａ、１３４ｂと係合して、基盤保持部材１２８の回動を規制している。
　【００２９】
　図７に示すように、連結ピン１３２ａ、１３２ｂは先端側に設けられた割ピン部１３６ａ、後端に設けられたフランジ１３６ｂおよび割ピン部１３６ａとフランジ１３６ｂとの中間に設けられた嵌合部１３６ｃを備える筒体１３６と、この筒体１３６に進退可能に挿通された軸部１３８ａと軸部１３８ａに固着されたつまみ１３８ｂとを備えるピン体１３８とから構成されている。これらの連結ピン１３２ａ、１３２ｂは、筒体１３６の嵌合部１３６ｃを基盤保持部材１２８の嵌合穴１２８ａに嵌合させることで、基盤保持部材１２８に装着されている。
　【００３０】
　このような連結ピン１３２ａ、１３２ｂでは、ピン体１３８の軸部１３８ａを矢印Ｍ方向に沿って相対移動させると、筒体１３６の割ピン部１３６ａは外径を拡大する方向に弾性変形させられる。また軸部１３８ａを矢印Ｎ方向に沿って相対移動させると、割ピン部１３６ａは上記弾性変形を回復する方向に変形し外径が縮小される。このため、割ピン部１３６ａの外径を縮小状態としてこれをカバー部材７２の連結穴１３４ａ、１３４ｂに挿通させ（図７（ａ）参照）、つまみ１３８ｂを押し込むようにして軸部１３８ａを矢印Ｍ方向に移動させれば、割ピン部１３６ａと連結穴１３４ａ、１３４ｂとが強固に嵌合された状態となる（図７（ｂ）参照）。また図７（ｂ）の状態から、つまみ１３８ｂを引っ張るようにして軸部１３８ａを矢印Ｎ方向に移動させれば、割ピン部１３６ａの外径は縮小されて、割ピン部１３６ａと連結穴１３４ａ、１３４ｂとは上述の嵌合状態から解放される。
　【００３１】
　したがって、このように割ピン部１３６ａと連結穴１３４ａ、１３４ｂとを嵌合状態とすれば、基盤保持部材１２８を連結ピン１３２ａ、１３２ｂでカバー部材７２に固定し、軸ピン１２４ａ、１２４ｂで裏盤４８に固定することになる。既に述べたようにカバー部材７２もまた裏盤４８に固定されているので、上記の場合、基盤保持部材１２８は裏盤４８に対して固定されることになる。一方、割ピン部１３６ａと連結穴１３４ａ、１３４ｂとの該嵌合を解除すれば、軸ピン１２４ａ、１２４ｂを軸として基盤保持部材１２８を裏盤４８に対して開閉、揺動させることができる。
　【００３２】
　なお図４に示すように、裏盤４８には賞球受部材６６に設けられている軸ピン１４０ａおよびカバー部材７２に設けられている軸ピン１４０ｂに軸支された遊技盤カバー１４２が装着されているが、この遊技盤カバー１４２も上記基盤保持部材１２８の連結ピン１３２ａ、１３２ｂと同様の連結ピン１４４を備えており、この連結ピン１４４を操作することによって裏盤４８に対して閉鎖、固定された状態および揺動可能な開放状態とできる。
　【００３３】
　パチンコ機１０から前面枠１４および皿部材３２を取り去った状態の正面図である図８に示すように、裏盤４８は、２個のヒンジ１４８、１４８を介して本体枠４４の第１側壁４４ａに軸支され、また図２および図８に示すように、一対の係止機構１５０、１５０を介して第２側壁４４ｂに係脱可能に係止されている。
　【００３４】
　図９に示すように、この係止機構１５０は、ピン１５２に軸支されて矢印Ｃに沿って揺動可能に裏盤４８に装着された係止部材１５４と本体枠４４の第２側壁４４ｂに固着された係止バー１５６とから構成されている。係止部材１５４には、係止バー１５６と係止可能な係止鈎１５４ａおよびハンドル１５４ｂとが設けられており、ハンドル１５４ｂを矢印Ｃに沿って揺動させることによって係止鈎１５４ａを係止バー１５６に係脱させることができ、この操作によって裏盤４８を本体枠４４に係止させ、その係止を解除できる。
　【００３５】
　図８に示すように、裏盤４８には４箇所の圧締機構１５８を介して遊技盤１２が保持されている。
　図１０に示すように、圧締機構１５８には一対の板状の突起１６０ａ、１６０ｂを備えた圧締部材１６０、半月状の横断面形状を有し圧締部材１６０を貫通する軸１６２および軸１６２を回転操作するノブ１６４が設けられている。圧締機構１５８は圧締部材１６０とノブ１６４との間の軸１６２を裏盤４８の軸穴１６６に回動自在に保持されており、圧締部材１６０は裏盤４８に形成された挿通部１６８に収容されている。このような構成により、ノブ１６４を介して圧締部材１６０を約９０度の範囲で回動させれば、遊技盤１２と裏盤４８の圧締縁部１７０とを密接、圧締状態（図１０（ａ）、（ｃ）参照）とし、この状態から解放（図１０（ｂ）、（ｄ）参照）することができる。
　【００３６】
　図８に示すように、裏盤４８に装着された遊技盤１２は、上述の圧締機構１５８によって水平方向の移動を規制され、裏盤４８のサポート部４８ｃによって支承されて重力方向の移動を規制されているが、圧締機構１５８による圧締を解除すれば、遊技盤１２を図８における紙面垂直方向に移動させて裏盤４８から離脱させることができる。またこれと逆に作業すれば遊技盤１２を裏盤４８に装着できる。このように遊技盤１２の裏盤４８への着脱が裏盤４８の前面側から可能であり、しかも容易である。したがって、例えば遊技盤１２のみを新規な遊技盤と交換する作業は、きわめて容易となる。
　【００３７】
　このように、本体枠４４に保持される裏盤４８にて直接に遊技盤１２を支えるので、従来のパチンコ機等では本体枠に軸支されて遊技盤を保持すると共に発射ハンドル４０等を固定していた木製の前枠が不要となっている。また前枠に固定されて遊技盤を支承するプラスチック製の中枠も不要となっている。すなわち、本実施例の裏盤４８は、従来のプラスチック製のいわゆる裏パックと遊技盤を保持する前枠および中枠との機能を備えており、このように構成することで部品点数を削減できる。
　【００３８】
　図５、図６および図８に示すように、裏盤４８の下部には上述の発射装置１１２が装着されている。この発射装置１１２はモータ１１２ａにて駆動される打球槌１１２ｂにて、発射装置１１２の斜め上方に配されている発射レール１７１の後端部１７１ａに置かれた遊技球を打撃することで、遊技球を発射することができる。発射された遊技球は、発射レール１７１を経て、遊技盤１２に固着されているガイドレール１７２に沿って誘導されて遊技領域１８へ放出される。なお、発射レール１７１とガイドレール１７２との間には、例えば打球槌１１２ｂによる付勢が不足して、遊技領域１８に到達できなかった遊技球を回収して下受け皿３０へと導くためのファール球誘導路１７４が設けられている。
　【００３９】
　本体枠４４の第１側壁４４ａの内面側には、４箇所の迫出しヒンジ１７６ａ、１７６ｂ、１７６ｃ、１７６ｄが設置されており、迫出しヒンジ１７６ａ、１７６ｂには前面枠１４が取り付けられ、迫出しヒンジ１７６ｃ、１７６ｄには皿部材３２が取り付けられている。
　【００４０】
　図１１および図１２に示すように、迫出しヒンジ１７６ａ〜１７６ｄは、固定部材１７８を介して第１側壁４４ａに固定されている。この固定部材１７８には、ピン１８０を中心として揺動自在に板状片１８２が連結され、ピン１８４を中心として揺動自在に三角片１８６が連結されている。また板状片１８２の他端はピン１８８を介して相互に揺動自在にＬ字板１９０の後端部に連結されており、三角片１８６の中央頂点部はピン１９２を介して相互に揺動自在にＬ字板１９０の中央部に連結されている。このＬ字板１９０の先端側は略コの字状となっており、その突端は、前面枠１４（皿部材３２）に固着された凹部材１９４に、ピン１９６を介して相互に揺動自在に連結されている。さらに、この凹部材１９４に、ピン１９８を介して連結されたＳ字片２００の他端は、ピン２０２を介して三角片１８６に連結されている。
　【００４１】
　このような迫出しヒンジ１７６ａ〜１７６ｄでは、閉鎖状態（図１１参照）から開放状態（図１２参照）へ移行する際には、Ｌ字板１９０およびＳ字片２００が矢印Ｅ方向に沿って引き出されるように変位する。しかし、三角片１８６の中央付近に連結されているＬ字板１９０の変位量よりも三角片１８６の先端部に連結されているＳ字片２００の変位量が大きくなるので、前面枠１４（皿部材３２）は矢印Ｅ方向に沿って迫出すと共に矢印Ｆ方向に沿って揺動することになる。このように、前面枠１４（皿部材３２）は本体枠４４から離脱しつつ扇形に移動するので、開放状態では前面枠１４（皿部材３２）と本体枠４４との間に空隙Ｋが形成される。したがって、例えば隣接する他のパチンコ機やパチンコ機の間に設置されている玉貸機と開放された前面枠１４（皿部材３２）との間にも空隙Ｋに応じた距離的なゆとりが確保できる。従って、例えば前面枠１４を従来よりも大きな角度で開くことが可能となり、パチンコ機１０内部のメンテナンス等が一層容易となる。また、例えば空隙Ｋに見合っただけ上下の受け皿を張り出すことも可能となり、上下の受け皿の容積を増加することができる。
　【００４２】
　図１３に示すように、これらの迫出しヒンジ１７６ａ〜１７６ｄを介して本体枠４４に取り付けられている前面枠１４および皿部材３２の裏面側には、各種の部材が設置されている。なお、図１３にては前面枠１４と皿部材３２とを明瞭に区別するために、実際以上に両者を離隔させて表示している。
　【００４３】
　先ず前面枠１４について説明すると、上辺２０６に沿って大当りランプ２０への配線を保護するための保護板２０８が設置されている。また迫出しヒンジ１７６ａ、１７６ｂと対向する側辺に沿って、本体枠４４の第２側壁４４ｂに固着されたＬ部材（図示略）と係止して前面枠１４を閉鎖状態に維持するための前面枠係止機構２１０が配されている。この前面枠係止機構２１０は、所定の範囲で上下動可能な係止板２１２、係止板２１２を上方向に付勢するばね２１４および錠２４を介して回動操作され係止板２１２を下方へ押し下げ可能な押部材２１６を備えている。前面枠１４が閉じられた状態では係止板２１２とＬ部材とが相互に係止し、ばね２１４はこの状態を保持すべく係止板２１２を付勢しているが、錠２４を介して押部材２１６を回動させ、係止板２１２をばね２１４の付勢力に抗して押し下げると、係止板２１２とＬ部材との係止は解除され、前面枠１４を開放可能となる。
　【００４４】
　また、前面枠１４には迫出しヒンジ１７６ａ、１７６ｂとの間に配された一対の軸ピン２１８、２１８に軸支されて、ガラス枠１３が装着されている。
　図１４に示すように、ガラス枠１３は矩形でガラス１６ａ、１６ｂを保持する一対のガラス溝２２０ａ、２２０ｂを備える外周部材２２２と外周部材２２２の内部に配されて中央に略円形の空間を形成している装飾部１３ａとで構成されており、図示左側には軸ピン２１８、２１８と係合可能な穴を備えた係合部２２４ａ、２２４ｂを有する金属製の係合支持金具２２６が固着されている。また、係合支持金具２２６と対向する辺には、ガラス１６ａ、１６ｂをガラス溝２２０ａ、２２０ｂ内に保持すると共に、蝶番部２２８ａ、２２８ｂを軸として開閉しガラス１６ａ、１６ｂの挿入、取出しを可能とする金属製のガラス押え板２３０が装着されている。ガラス押え板２３０の中央付近には、鋼製の弾性板２３２が配されている。この弾性板２３２は矢印Ｇ方向に沿って弾性変形可能である。また、ガラス押え板２３０の上端とガラス枠１３の上辺との間にはガラス押え板２３０を上辺側（ガラス押え板２３０を閉じる方向）に付勢する弦巻ばね２３３が介装されており、この弦巻ばね２３３の付勢力でガラス押え板２３０は閉鎖状態に保持されている。
　【００４５】
　図１３に示すように、ガラス枠１３を前面枠１４に密接させた際には、弾性板２３２は押部材２１６の後端部２３４に当接している。このためガラス枠１３は、後端部２３４によって前面枠１４からの離脱を規制されている。一方、弾性板２３２をガラス枠１３の中心方向に向かって弾性変形させた際には、弾性板２３２は後端部２３４との当接状態から解放され、ガラス枠１３は軸ピン２１８、２１８を軸として揺動可能となる。したがって、弾性板２３２を操作することによってガラス枠１３を前面枠１４に密接する状態から離脱させることができる。なお、弾性板２３２は、後端部２３４からの押圧力によって、上記弦巻ばね２３３と共にガラス押え板２３０を閉鎖状態に保持する機能も有しており、上記のようにしてガラス枠１３を前面枠１４から離脱させた時には、弦巻ばね２３３の付勢力に抗してガラス押え板２３０を開放可能である。
　【００４６】
　次に、皿部材３２の裏面側について説明すると、皿部材３２の裏面はプラスチック製の裏板２３６で覆われており、裏板２３６を貫通して上受け皿２８の上皿排出口３４に通ずる通路２３８が開口している。この通路２３８の下方に配された略平行四辺形の部材は、下皿導入口８２からの遊技球を下受け皿３０の下皿排出口３６へと導くためのバイパス部材２４０であり、上辺部に遊技球口２４２が設けられている。またバイパス部材２４０下部の凸状部２４４に対応して、裏板２３６には下受け皿３０に通ずる開口が設けられている。さらに、バイパス部材２４０の凸状部２４４の斜め上方には、発射装置１１２から発射されて遊技領域１８に到達できなかった遊技球が回収されるファール球誘導路１７４からの遊技球を受け入れるためのファール球受口２４６が設けられている。
　【００４７】
　バイパス部材２４０の図示左側は裏板２３６が一部削除されており、この内部には、上受け皿２８から供給される遊技球を１球ずつ発射レール１７１内に供給する発射球供給装置２４８が設置されている。また裏板２３６には、発射球供給装置２４８の下方に、発射ハンドル４０と発射装置１１２とを接続するリード線（図示略）の通路としてのリード線穴２５０が設けられている。
　【００４８】
　さらに、皿部材３２の迫出しヒンジ１７６ｃ、１７６ｄと対向する辺に沿って、本体枠４４に設置された下係止部材（図示略）と係止可能な係止部２５２ａ、２５２ｂを有する鋼製の係止金具２５２が取り付けられている。したがって、本体枠４４の下係止部材と係止部２５２ａ、２５２ｂとの係止を解除すれば皿部材３２を迫出しヒンジ１７６ｃ、１７６ｄを軸として開放できる。また開放した皿部材３２を本体枠４４に押し付けるように閉じれば、係止部２５２ａ、２５２ｂを本体枠４４の下係止部材と係止させることができ皿部材３２と本体枠４４とを接合状態に保持できる。
　【００４９】
　以上のように、前面枠１４はガラス枠１３およびガラス１６ａ、１６ｂを保持するだけなので全体としてきわめて軽量で、開閉が簡単である。
　【００５０】
　また、前面枠１４を開くと、遊技盤１２およびその周囲を全面的に露出させることができるから、遊技盤１２やその周囲の部品の点検や修理が簡単にできる。
　【００５１】
　【発明の効果】
　以上説明したように、本発明の遊技機では、遊技盤やその周囲の部品の点検や修理に当たっての作業性はきわめて良好である。
　【００５２】
　また、上部前面枠によってガラス枠が保持されるので、ガラス枠保持のための構造体を特別に設ける必要はなく、構造も取り立てて複雑になることはない。
【図面の簡単な説明】
　【図１】　実施例のパチンコ機の正面図である。
　【図２】　実施例のパチンコ機の背面図である。
　【図３】　実施例のパチンコ機の裏盤および裏盤に装着される部品の分解斜視図である。
　【図４】　実施例のパチンコ機の裏盤および裏盤に装着される部品の一部分解斜視図である。
　【図５】　実施例のパチンコ機の下受け皿付近における横断面図である。
　【図６】　実施例のパチンコ機の上受け皿付近における横断面図である。
　【図７】　実施例のパチンコ機の連結ピンの拡大図であり、図７（ａ）は軸部を引き出した状態の平面図、図７（ｂ）は軸部を押し込んだ状態の平面図である。
　【図８】　実施例のパチンコ機において前面枠および皿部材を撤去した状態の正面図である。
　【図９】　実施例のパチンコ機の係止機構付近の拡大断面図である。
　【図１０】　実施例のパチンコ機の圧締機構の説明図であり、図１０（ａ）、（ｂ）は一部縦断面図、図１０（ｃ）は圧締状態の正面図、図１０（ｄ）は解除状態の正面図である。
　【図１１】　実施例のパチンコ機の迫出しヒンジの平面図である。
　【図１２】　実施例のパチンコ機の迫出しヒンジを開いた状態の平面図である。
　【図１３】　実施例のパチンコ機の前面枠および皿部材の背面図である。
　【図１４】　実施例のパチンコ機のガラス枠の斜視図である。
　【符号の説明】
　１０・・・パチンコ機（遊技機）、１２・・・遊技盤、１３・・・ガラス枠、１４・・・上部前面枠、１６ａ・・・ガラス（ガラス板）、１８・・・遊技領域、２８・・・上受け皿（上皿）、３０・・・下受け皿、３２・・・皿部材、４４・・・本体枠、４８・・・裏盤、１１２・・・発射装置、１７６ａ、１７６ｂ・・・迫出しヒンジ（軸支手段）、２１８・・・軸ピン（ガラス枠装着手段）。